(57)【要約】【課題】室内の美観を向上させ得る縦型ルーバーを提供する。【解決手段】多数のルーバーを垂直方向の回転軸心を中心として回転可能に支持した縦型ルーバーにおいて、ルーバーに発光体１６，２２を備えた。【選択図】図５
2007315083.tif 000002
【特許請求の範囲】
【請求項１】
多数のルーバーを垂直方向の回転軸心を中心として回転可能に支持した縦型ルーバーにおいて、
前記ルーバーに発光体を備えたことを特徴とする縦型ルーバー。
【請求項２】
前記発光体は、前記ルーバーの室内側の端部に設けたことを特徴とする請求項１記載の縦型ルーバー。
【請求項３】
前記発光体は、前記ルーバーを構成する型材の下端から下方を照射することを特徴とする請求項１記載の縦型ルーバー。
【請求項４】
前記発光体は、前記ルーバーを構成する型材の室内側の端部において、該型材の上下方向の全長に亘って設けた発光ダイオードと、前記ルーバーを構成する型材の下端から下方を照射するダウンライトとで構成したことを特徴とする請求項１記載の縦型ルーバー。
【請求項５】
前記ルーバーは、前記型材の中心線に直交する方向に延びる透明な板材を備えたことを特徴とする請求項４記載の縦型ルーバー。
【請求項６】
前記ルーバーの上部を遮光性を備えた型材で形成し、前記ルーバーの下部を透明な板材で構成し、前記発光ダイオードを前記型材の室内側の端部に設け、前記ダウンライトを前記型材の下端部に設けて、前記板材の下端部を照射可能としたことを特徴とする請求項４記載の縦型ルーバー。
【請求項７】
前記板材をガラス板で形成したことを特徴とする請求項５又は６記載の縦型ルーバー。
【発明の詳細な説明】
【技術分野】
【０００１】
この発明は、縦型ルーバーに関するものである。
【背景技術】
【０００２】
室外から室内へ入射する採光量を調節する日射遮蔽装置の一種類である縦型ルーバーは、ルーバー材を上下方向に支持し、かつ各ルーバーを回転可能に支持し、各ルーバーの角度を手動あるいは電動で同期して調整可能となっている。ルーバー材は、金属の型材、木材、合成樹脂等種々の材質で形成される。そして、各ルーバーの角度を調節することにより、室内への採光量を調節可能となっている。
【特許文献１】実開平１−１４１６８９号公報
【発明の開示】
【発明が解決しようとする課題】
【０００３】
遮光性を備えたルーバーを回動可能に支持した縦型ルーバーでは、ルーバーの角度の調整により採光量を調節することができるが、ルーバーによる遮光部分と外光が透過するルーバー間部分とのコントラストが大きくなって、美観を損ねるとともに、居住者に不快感を与えることがある。
【０００４】
また、ルーバーによる遮光時あるいは夜間には、ルーバー下方の床面近傍が薄暗くなり、室内の美観を低下させるとともに、ルーバー下端部を視認し辛くなるという問題点がある。
【０００５】
特許文献１には、ＬＥＤ発光素子を備えた暖簾が開示されているが、上記のような課題を解決するものではない。
この発明の目的は、室内の美観を向上させ得る縦型ルーバーを提供することにある。
【課題を解決するための手段】
【０００６】
請求項１では、多数のルーバーを垂直方向の回転軸心を中心として回転可能に支持した縦型ルーバーにおいて、前記ルーバーに発光体を備えた。
請求項２では、前記発光体は、前記ルーバーの室内側の端部に設けた。
【０００７】
請求項３では、前記発光体は、前記ルーバーを構成する型材の下端から下方を照射する。
請求項４では、前記発光体は、前記ルーバーを構成する型材の室内側の端部において、該型材の上下方向の全長に亘って設けた発光ダイオードと、前記ルーバーを構成する型材の下端から下方を照射するダウンライトとで構成した。
【０００８】
請求項５では、前記ルーバーは、前記型材の中心線に直交する方向に延びる透明な板材を備えた。
請求項６では、前記ルーバーの上部を遮光性を備えた型材で形成し、前記ルーバーの下部を透明な板材で構成し、前記発光ダイオードを前記型材の室内側の端部に設け、前記ダウンライトを前記型材の下端部に設けて、前記板材の下端部を照射可能とした。
【０００９】
請求項７では、前記板材をガラス板で形成した。
【発明の効果】
【００１０】
本発明によれば、室内の美観を向上させ得る縦型ルーバーを提供することができる。
【発明を実施するための最良の形態】
【００１１】
以下、この発明を具体化した一実施の形態を図面に従って説明する。図１に示す縦型ルーバーは、天井面と床面との間で多数枚のルーバー１が垂直方向の回転軸心を中心として回転可能に吊下支持されている。
【００１２】
各ルーバー１の回転支軸１ａは、図４に示すように、天井内に固定されるベアリング２に回転可能に吊下支持され、各ルーバー１の下端部は、支軸が床面に固定されるベアリング３に回転可能に支持されている。
【００１３】
前記回転支軸１ａは、天井内に配設される駆動装置により回転駆動される。すなわち、天井内には駆動軸４が水平方向に配設され、その駆動軸４が減速機５を介してモーター６で回転駆動される。
【００１４】
前記駆動軸４の回転は傘歯車７及びトルクリミッター８を介して前記回転支軸１ａに伝達される。トルクリミッター８はルーバー１に伝達されるトルクを所定値以下に制限するものである。このような構成により、各ルーバー１はモーター６の駆動力により同位相で回転される。
【００１５】
前記ルーバー１は、その上部がアルミニウムの型材で形成されて不透明であり、中間部は型材と透明なガラス板１３が直交する方向に組み合わされ、下部は透明なガラス板１３のみで構成される。
【００１６】
前記ルーバー１の上部の構成を図２に従って説明する。ルーバー１の上部は、第一の型材９と、第二の型材１０と、両型材９，１０を連結する連結型材１１とから構成され、第一及び第二の型材９，１０が連結型材１１を挟んで、該連結型材１１を貫通する複数のボルト１２で固定されている。前記各型材９，１０，１１は、アルミ型材で形成される。そして、連結された型材９，１０，１１は断面船形に構成され、その外表面には木目シートが貼着されている。
【００１７】
前記ルーバー１の中間部の構成を図３に従って説明する。ルーバー１の中間部は、前記第一の型材９と第二の型材１０と透明なガラス板（板材）１３とから構成され、第一及び第二の型材９，１０がガラス板１３を挟んで、該ガラス板１３を貫通する複数のボルト１２で固定されている。
【００１８】
前記ガラス板１３は、第一の型材９と第二の型材１０との間で、両型材９，１０の中心線に対し直交する方向に緩衝材１４を介して挟着され、その両側部が両型材９，１０の両側に同一長さで突出されている。
【００１９】
前記ルーバー１の下部は、図１に示すように、前記ガラス板１３のみで構成され、その下端部に取着された支持枠１３ａから下方に突出する支軸が前記ベアリング３に回転可能に支持されている。
【００２０】
前記ルーバー１の第一の型材９の端部には発光体が上下方向に取着されている。この発光体は、図４及び図５に示すように、テープ状の導電材１５に複数の発光ダイオード（以下ＬＥＤとする）１６が等間隔に多数取着され、その導電材１５が第一の型材９に形成された溝部１７内に取着されている。
【００２１】
前記導電材１５は、図４に示すように、第一の型材９の上端部でコネクタ１８を介して電源配線１９に接続されている。その電源配線１９は、前記回転支軸１ａの周囲を経て天井内に延設されている。そして、操作スイッチ等の操作により電源配線１９に所定の直流電圧が供給されると、前記ＬＥＤ１６が例えば緑色に発光するようになっている。
【００２２】
前記第一の型材９の溝部１７の開口部には、半透明のアクリル板２０が取着され、そのアクリル板２０の表面に積層溶融ガラス２１が取着されている。従って、前記ＬＥＤ１６が発する光は、アクリル板２０及び積層溶融ガラス２１を経て室内に供給される。
【００２３】
図５に示すように、前記第二の型材１０の下端部にはダウンライト２２が取着されている。すなわち、第二の型材１０の下端に取着される小口蓋２３には下方に開口する凹部２４が形成され、その凹部２４内にダウンライト２２が取着される。
【００２４】
前記第二の型材１０内において、前記ダウンライト２２の上方には降圧トランス２５が取着され、コネクタ２６を介在した配線２７で前記ダウンライト２２に接続されている。前記降圧トランス２５には電源配線２８の一端が接続され、その電源配線２８は第二の型材１０内を上方へ案内され、図４に示すように、前記ＬＥＤ１６の電源配線１９と同様に、前記回転支軸１ａの周囲を経て天井内に延設されている。
【００２５】
そして、操作スイッチ等の操作により電源配線２８に商用電源が供給されると、ダウンライト２２が点灯されるようになっている。
図６〜図８は、上記のような縦型ルーバーの動作を示す。図６は、ルーバー１を全開状態とした場合を示し、各ルーバー１の第一及び第二の型材９，１０の中心線は窓面に直交し、ガラス板１３は窓面に対し平行に位置する。
【００２６】
この状態では、各ルーバー１間から室内へ外光を採り入れ可能である。また、ＬＥＤ１６を点灯させれば、第一の型材９の端部が緑色に発光する。
図６に示す状態から、各ルーバー１が約８０度回転されると、図８に示すように、隣り合うルーバー１の端部が重なる状態となって、全閉状態となる。この状態では、ルーバー１の上部で外光をほぼ遮断可能である。また、ダウンライト２２を点灯させれば、各ルーバー１下方の床面を明るく照らされる。
【００２７】
上記のように構成された縦型ルーバーでは、次に示す作用効果を得ることができる。
（１）各ルーバー１を回転させて、室内への採光量を調節することができる。
（２）各ルーバー１の下部をガラス板１３としたので、各ルーバー１の上部で室内への採光量を調節しながら、各ルーバー１の下部から窓外の景観を楽しむことができる。また、各ルーバー１の下部から室内の床面に外光を採り入れることができる。
（３）ルーバー１の上部を断面船形の型材９，１０で構成し、ルーバー１の下部を型材９，１０の中心線に対し直交するガラス板１３で構成したので、視覚的に斬新な縦型ルーバーを構成することができる。
（４）各ルーバー１の中間部で、第一及び第二の型材９，１０でガラス板１３を挟着固定し、各ルーバー１の上部では、第一及び第二の型材９，１０を連結型材１１を介して連結した。ルーバー１の下部をガラス板１３のみで構成し、ルーバー１の中間部は断面船形のルーバーからガラス板１３を突出させて、視覚的に斬新な縦型ルーバーを構成することができる。
（５）第一及び第二の型材９，１０でガラス板１３をボルト１２により挟着固定するので、ガラス板１３が大型化してその重量が増大しても、第一及び第二の型材９，１０との取付強度を確保することができる。
（６）第一の型材９の室内側に向かう端部を発光させることができるので、各ルーバー１間から外光を採り入れるとき、遮光性を備えた第一の型材９の端部と各ルーバー１間との明度差を小さくして、穏やかな視界を確保することができる。
（７）図７に示すように、各ルーバー１を半開状態とすると、各ルーバー１の中間部ではガラス板１３で屈折した柔らかな外光を採り入れることができる。
（８）図８に示すように、各ルーバー１を全閉状態若しくは全閉に近い角度まで回動させた状態でＬＥＤ１６を点灯させると、各ルーバー１の中間部ではＬＥＤ１６の光がガラス板１３で反射し、透過し、あるいは屈折するため、ガラス板１３を緑色に発光させて美観を向上させることができる。
（９）第二の型材１０の下端にダウンライト２２を設けたので、各ルーバー１の下端部の視認性を向上させて安全性を向上させることができるとともに、美観を向上させることができる。
（第二の実施の形態）
図９は、第二の実施の形態を示す。この実施の形態は、各ルーバー１の上端部においても第一及び第二の型材９，１０間にガラス板２９を取着したものである。ガラス板２９は、第一の実施の形態と同様な構成により第一及び第二の型材９，１０間に挟着固定されている。また、ガラス板２９は透明ガラスあるいはすりガラスで構成される。その他の構成は、第一の実施の形態と同様である。
【００２８】
このような構成により、ガラス板２９で第一の実施の形態のルーバー１の中間部のガラス板１３と同様な作用効果を得ることができる。
上記実施の形態は、以下の態様で実施してもよい。
・ガラス板１３は、透明ガラス以外のすりガラス等としてもよい。
・ガラス板１３，２９に代えて、透光性を備えたアクリル板、ポリカーボネート板等の合成樹脂板を使用してもよい。
【図面の簡単な説明】
【００２９】
【図１】第一の実施の形態の縦型ルーバーを示す斜視図である。
【図２】ルーバーの上部を示す横断面図である。
【図３】ルーバーの中間部を示す横断面図である。
【図４】ルーバーの上部を示す縦断面図である。
【図５】ルーバーの中間部を示す縦断面図である。
【図６】ルーバーの動作を示す横断面図である。
【図７】ルーバーの動作を示す横断面図である。
【図８】ルーバーの動作を示す横断面図である。
【図９】第二の実施の形態の縦型ルーバー示す斜視図である。
【符号の説明】
【００３０】
１…ルーバー、９，１０…型材、１３，２９…板材（ガラス板）、１６…発光体（発光ダイオード）、２２…発光体（ダウンライト）。
【図１】
2007315083.tif 000003
【図２】
2007315083.tif 000004
【図３】
2007315083.tif 000005
【図４】
2007315083.tif 000006
【図５】
2007315083.tif 000007
【図６】
2007315083.tif 000008
【図７】
2007315083.tif 000009
【図８】
2007315083.tif 000010
【図９】
2007315083.tif 000011